(57)【特許請求の範囲】
【請求項１】
サイドプレートによって両端が回転可能に支持された巻取パイプにモータを内蔵し、モータの作動により巻取パイプを正逆方向に回転して生布の巻上げ及び巻下ろしを行う電動ロールスクリーンの生布の下限及び上限の停止位置の調整を行う電動ロールスクリーンの停止位置調整装置であって、
巻取パイプと一体回転するように巻取パイプに取り付けられ、内周面にネジ部が形成されるパイプ受け筒体と、
一端側がサイドプレートに支持され他端側が前記パイプ受け筒体の内側に伸びて、巻取パイプの長手方向に所定間隔をおいて前記モータの作動を停止させる２個のスイッチ手段を保持するスイッチケースと、
前記パイプ受け筒体の前記ネジ部に螺合し、かつサイドプレートに対して相対回転不能に設定され、前記巻取パイプの回転により巻取パイプの長手方向に移動し前記スイッチ手段の一方に作用して該スイッチ手段を作動させる第１移動体と、
前記第１移動体に連結され第１移動体と共に巻取パイプの長手方向に移動し、前記スイッチ手段の他方に作用して該スイッチ手段を作動させる第２移動体と、
前記サイドプレート側に配設された操作部を有し、前記第２移動体と第１移動体との巻取パイプの長手方向の間隔を調整する調整手段と、
を備えることを特徴とする電動ロールスクリーンの停止位置調整装置。
【請求項２】
前記調整手段は、前記操作部に一端が固定され巻取パイプの長手方向に伸びる非円形軸と、一端に該非円形軸が嵌入され該非円形軸に沿って摺動可能であると共に、外周にネジ部が形成される摺動ネジ軸と、を有し、前記第２移動体は該摺動ネジ軸のネジ部に螺合し、かつサイドプレートに対して相対回転不能に設定され、前記操作部は３６０度以上回転操作可能であることを特徴とする請求項１記載の電動ロールスクリーンの停止位置調整装置。
【請求項３】
前記摺動ネジ軸の他端には、第１移動体が相対回転可能に固定されることにより前記第２移動体が第１移動体に連結されることを特徴とする請求項２記載の電動ロールスクリーンの停止位置調整装置。
【請求項４】
前記第１移動体は、その非中心位置で摺動ネジ軸の他端に固定され、該摺動ネジ軸によって、前記サイドプレートに対して相対回転不能に設定されることを特徴とする請求項３記載の電動ロールスクリーンの停止位置調整装置。
【請求項５】
前記サイドプレート側に設けられた前記スイッチケースの巻取パイプの長手方向の位置を調整する第２調整手段を備えることを特徴とする請求項１ないし４のいずれかに記載の電動ロールスクリーンの停止位置調整装置。
【請求項６】
前記スイッチケースは、前記巻取パイプの長手方向に伸びて前記第１移動体及び前記第２移動体を貫通することを特徴とする請求項１ないし５のいずれかに記載の電動ロールスクリーンの停止位置調整装置。
【請求項７】
前記第１移動体は、非円形横断面の輪郭を持つ前記スイッチケースが第１移動体を摺動可能に貫通することによって前記サイドプレートに対して相対回転不能に設定されることを特徴とする請求項１ないし６記載の電動ロールスクリーンの停止位置調整装置。
【請求項８】
前記第２移動体は、非円形横断面の輪郭を持つ前記スイッチケースが第２移動体を摺動可能に貫通することによって前記サイドプレートに対して相対回転不能に設定されることを特徴とする請求項２または３記載の電動ロールスクリーンの停止位置調整装置。
【発明の詳細な説明】
【０００１】
【発明の属する技術分野】
本発明は、巻取パイプにモータを内蔵し、モータの作動によって巻取パイプを正逆方向に回転して生布の巻上げ及び巻下ろしを行う電動ロールスクリーンの停止位置を調整する停止位置調整装置に関するものである。
【０００２】
【従来の技術】
従来、この種の電動ロールスクリーンとしては、特開平４−２４７１８８号公報に記載されたものがある。これに示されるものは、巻取パイプと一体回転するように巻取パイプに取り付けられ、内周面にネジ部が形成されるサイドキャップと、サイドキャップに螺合されるリミットスクリューと、リミットスクリューの内側に該リミットスクリューと相対回転不能に配設されたスクリューガイドと、スクリューガイドの基端部に径方向に突出形成され、ブラケットベースの下部においてブラケットベースとサイドケースとの間で回動操作可能に露出された操作レバーと、サイドケースの上部に配設された下限停止用スイッチとを有しており、モータの作動により巻取パイプが回転してスクリーン生布が巻き下ろされて下降すると、これにともなってサイドキャップが巻取パイプと一体に回転するためリミットスクリューがブラケットベースに向かって移動し、リミットスクリューがヒンジレバーを介して下限停止用スイッチを作動させると、モータの作動が停止されてスクリーン生布が下限停止位置まで下降された状態となる。
【０００３】
この下限停止位置を調整するときには、前記操作レバーを微小角度回動させることにより、リミットスクリューを微小角度回動させてサイドキャップに配設された下限停止用スイッチとの距離を調節し、スクリーン生布の下限位置を調節している。
また、上限停止用スイッチについては巻取パイプを支持する支持部材に取り付けられており、スクリーン生布の下端に取付けられたウエイトバーが上限停止用スイッチを押圧することによって、モータの作動が停止されてスクリーン生布が上限停止位置まで上昇された状態となる。
【０００４】
【発明が解決しようとする課題】
しかしながら、かかる従来構造では、上限停止用スイッチが支持部材に、下限停止用スイッチがサイドケースの中にと、それぞれ分離して配設されるため、その取付作業及び配線作業に手間がかかり、またそれぞれのスイッチのためのスペースを必要とするため、電動ロールスクリーンが大型化するという問題がある。
【０００５】
また、下限停止位置の調整は、操作レバーの限られた回動範囲内でのみ行うため、その調整範囲に限度があるという問題がある。公報の記載から判断するに、巻取パイプの１／４回転程度の回動範囲であるため、通常の巻取パイプの径から考えてスクリーン生布の高さは３０ｍｍ〜６０ｍｍ程度しかできない。
さらに、上記従来の構成では、上限停止位置の調整はできないという問題もある。
【０００６】
本願発明は、かかる問題点に鑑みなされたもので、請求項１ないし請求項８記載の発明の目的は、上限停止用及び下限停止用の２つのスイッチ手段を一体的に巻取パイプの中に収容することができ、上限または下限の少なくとも一方の停止位置を調整することができる電動ロールスクリーンの停止位置調整装置を提供することを目的とする。
【０００７】
また、請求項２〜４記載の発明の目的は、上記目的に加えてその停止位置の調整が広い範囲で自由に行うことができる電動ロールスクリーンの停止位置調整装置を提供することである。
また、請求項５記載の発明の目的は、上記目的に加えて上限及び下限の両方の停止位置を調整することができる電動ロールスクリーンの停止位置調整装置を提供することである。
【０００８】
【課題を解決するための手段】
上記目的を達成するために、本発明の請求項１記載の発明は、サイドプレートによって両端が回転可能に支持された巻取パイプにモータを内蔵し、モータの作動により巻取パイプを正逆方向に回転して生布の巻上げ及び巻下ろしを行う電動ロールスクリーンの生布の下限及び上限の停止位置の調整を行う電動ロールスクリーンの停止位置調整装置であって、巻取パイプと一体回転するように巻取パイプに取り付けられ、内周面にネジ部が形成されるパイプ受け筒体と、一端側がサイドプレートに支持され他端側が前記パイプ受け筒体の内側に伸びて、巻取パイプの長手方向に所定間隔をおいて前記モータの作動を停止させる２個のスイッチ手段を保持するスイッチケースと、前記パイプ受け筒体の前記ネジ部に螺合し、かつサイドプレートに対して相対回転不能に設定され、前記巻取パイプの回転により巻取パイプの長手方向に移動し前記スイッチ手段の一方に作用して該スイッチ手段を作動させる第１移動体と、前記第１移動体に連結され第１移動体と共に巻取パイプの長手方向に移動し、前記スイッチ手段の他方に作用して該スイッチ手段を作動させる第２移動体と、前記サイドプレート側に配設された操作部を有し、前記第２移動体と第１移動体との巻取パイプの長手方向の間隔を調整する調整手段と、を備えることを特徴とする。
【０００９】
また、請求項２記載の発明は、請求項１記載のものにおいて、前記調整手段は、前記操作部に一端が固定され巻取パイプの長手方向に伸びる非円形軸と、一端に該非円形軸が嵌入され該非円形軸に沿って摺動可能であると共に、外周にネジ部が形成される摺動ネジ軸と、を有し、前記第２移動体は該摺動ネジ軸のネジ部に螺合し、かつサイドプレートに対して相対回転不能に設定され、前記操作部は３６０度以上回転操作可能であることを特徴とする。
【００１０】
また、請求項３記載の発明は、請求項２記載のものにおいて、前記摺動ネジ軸の他端には、第１移動体が相対回転可能に固定されることにより前記第２移動体が第１移動体に連結されることを特徴とする。
また、請求項４記載の発明は、請求項３記載のものにおいて、前記第１移動体は、その非中心位置で摺動ネジ軸の他端に固定され、該摺動ネジ軸によって、前記サイドプレートに対して相対回転不能に設定されることを特徴とする。
【００１１】
また、請求項５記載の発明は、請求項１ないし４記載のものにおいて、前記サイドプレート側に設けられた前記スイッチケースの巻取パイプの長手方向の位置を調整する第２調整手段を備えることを特徴とする。
また、請求項６記載の発明は、請求項１ないし５記載のものにおいて、前記スイッチケースは、前記巻取パイプの長手方向に伸びて前記第１移動体及び前記第２移動体を貫通することを特徴とする。
【００１２】
また、請求項７記載の発明は、請求項１ないし６記載のものにおいて、前記第１移動体は、非円形横断面の輪郭を持つ前記スイッチケースが第１移動体を摺動可能に貫通することによって前記サイドプレートに対して相対回転不能に設定されることを特徴とする。
また、請求項８記載の発明は、請求項２または３記載のものにおいて、前記第２移動体は、非円形横断面の輪郭を持つ前記スイッチケースが第２移動体を摺動可能に貫通することによって前記サイドプレートに対して相対回転不能に設定されることを特徴とする。
【００１３】
【発明の実施の形態】
以下、図面を用いて本発明の実施の形態を説明する。図１は本発明にかかる電動ロールスクリーンの停止位置調整装置の実施の形態を表す断面図、図２は図１の２−２線に沿って見た断面図、図３は図１の３−３線に沿って見た断面図、図４は図１の４−４線に沿って見た断面図、図５は分解斜視図である。
【００１４】
図において、１０は巻取パイプであり、ブラケットによって窓枠等に固定されるセットフレーム１４の両端から伸びるサイドプレート１２（片側のみ示す）に回転可能に支持された巻取パイプ１０には、スクリーン生布１６の上端が取り付けられている。１８は、スクリーン生布１６の下端に設けられたウエイトバーである。
【００１５】
巻取パイプ１０の一端部には、本発明の停止位置調整装置２０が設けられる。停止位置調整装置２０は、巻取パイプ１０の端部に取り付けられ、巻取パイプ１０と一体に回転する一方で、サイドプレート１２に対し回転可能に支持されたパイプ受け筒体２２を備えており、パイプ受け筒体２２の内面には雌ネジ部２２ａが形成されている。
【００１６】
パイプ受け筒体２２の中空部には、一端側がサイドプレート１２に支持され、他端側がパイプ受け筒体２２の内側に伸びるスイッチケース２４が配設される。即ち、スイッチケース２４は、弾性体２３を介して調整ネジ（第２調整手段）２５によりサイドプレート１２に一端が取り付けられており、さらに、スイッチケース２４の他端にはモータ３０が取り付けられており、モータ３０の出力軸３０ａにはドライブブッシュ３２が取り付けられ、さらに、ドライブブッシュ３２は巻取パイプ１０の内面に嵌着されてモータ３０の出力軸３０ａと共に巻取パイプ１０が回転することができるようになっている。スイッチケース２４には、巻取パイプ１０の長手方向に所定間隔をおいて、上限用リミットスイッチ２６及び下限用リミットスイッチ２８が保持されており、また、モータ３０、リミットスイッチ２６、２８への給電線３４、３４が配索され巻取パイプ１０の長手方向に伸びる溝２４ａが形成されている（図２、３、４参照）。
【００１７】
さらに、パイプ受け筒体２２の内部には、前記スイッチケース２４が貫通するようにして、第１移動コマ（第１移動体）３６が前記パイプ受け筒体２２の雌ネジ部２２ａに螺合しており、第１移動コマ３６と平行にパイプ受け筒体２２の雌ネジ部２２ａとは螺合しない第２移動コマ（第２移動体）３８が配置される。
第２移動コマ３８は、以下に述べる調整手段４０によって巻取パイプ１０の長手方向の位置が変位可能であり、これにより第１移動コマ３６との間の間隔が調整される。即ち、調整手段４０は、サイドプレート１２側に回転可能に支持された操作部であるダイヤル４２と、ダイヤル４２に噛み合うギヤ部４４ａを一端に備え巻取パイプ１０の長手方向に伸びる角軸（非円形軸）４４と、角軸４４の他端が嵌入され角軸４４に沿って摺動可能であり、外周に雄ネジ部４６ａが形成される摺動ネジ軸４６とから構成される。摺動ネジ軸４６の雄ネジ部４６ａに、前記第２移動コマ３８が螺合される。さらに、摺動ネジ軸４６の他端には、雄ネジ部４６ａから延長された円柱部４６ｂが設けられており、第１移動コマ３６が該円柱部４６ｂに相対回転可能に固定されている。
【００１８】
第１移動コマ３６及び第２移動コマ３８は、前記上限用リミットスイッチ２６と下限用リミットスイッチ２８との間に配置され、それぞれ第１移動コマ３６及び第２移動コマ３８がスイッチケース２２に摺動可能に構成される。図２及び図３に示したように、スイッチケース２２は横断面の輪郭が非円形であるので、第１移動コマ３６及び第２移動コマ３８は、サイドプレート１２に対して相対回転不能に設定される。また、巻取パイプ１０に螺合される第１移動コマ３６は、第１移動コマ３６の非中心位置で摺動ネジ軸４６に相対回転可能に固定されているため、これによってもサイドプレート１２に対して相対回転不能に設定されている。
【００１９】
以上のパイプ受け筒体２２、スイッチケース２４、第１移動コマ３６、第２移動コマ３８及び調整手段４０よりなる停止位置調整装置２０は、ユニットで構成させることができ、第１移動コマ３６が上限用リミットスイッチ２６が接触した状態にあるスイッチケース２４、第１移動コマ３６、第２移動コマ３８及び調整手段４０を内側に配設したパイプ受け筒体２２を、スクリーン生布１６を巻取った巻取パイプ１０に取り付け、スイッチケース２４をサイドプレート１２に調整ネジ２５で取り付けることで、巻取パイプ１０に組み込むことができる（図６参照）。モータ３０もスイッチケース２４に予め取り付けられて、停止位置調整装置２０と共に巻取パイプ１０に組み込まれる。
【００２０】
上限用リミットスイッチ２６及び下限用リミットスイッチ２８は巻取パイプ１０に組み込まれる前にスイッチケース２４の中に予め一体的に保持されて、給電線３４、３４をスイッチケース２４の溝２４ａに配索しておくことで、モータ３０を含めてその取付作業及び配線作業を簡単に行うことができる。
そして、図１に示したように、スクリーン生布１６を下限停止位置として設定したい位置まで巻下ろして下降させると、巻取パイプ１０の回転に伴ってパイプ受け筒体２２が一体に回転するので、パイプ受け筒体２２に螺合され且つサイドプレート１２に対して相対回転不能に設定された第１移動コマ３６は、スイッチケース２４の外側面を摺動して、巻取パイプ１０の長手方向、図１中左方向へ移動する。第１移動コマ３６に伴って、第１移動コマ３６が固定されている摺動ネジ軸４６が角軸４４に沿って移動し、さらに、摺動ネジ軸４６に螺合された第２移動コマ３８もスイッチケース２４の外側面を一緒に摺動する。
【００２１】
図７に示したように、スクリーン生布１６が下限停止位置として設定したい位置まで降りたら、スクリーン生布１６の下降を停止させ、ダイヤル４２を回転させて角軸４４を回転させると、角軸４４の回転に伴って摺動ネジ軸４６が回転するため、摺動ネジ軸４６に螺合され且つサイドプレート１２に対して相対回転不能に設定された第２移動コマ３８は、摺動ネジ軸４６に沿ってスイッチケース２４を摺動する（図８）。こうして、第２移動コマ３８を下限用リミットスイッチ２８に接触するまで移動させて、下限停止位置の設定が完了する。このとき、第１移動コマ３６は、摺動ネジ軸４６に対して相対回転可能に設定されているため、摺動ネジ軸４６の回転に対して第１移動コマ３６は移動することなく、第２移動コマ３８のみが移動する。即ち、第２移動コマ３８と第１移動コマ３６との間隔が変わるだけなので、上限停止位置が変わることはない。
【００２２】
ダイヤル４２は３６０度以上回転させることができ、実質上回動範囲の制限がないから、ダイヤル４２の回転によって摺動ネジ軸４６を自由に回転させることができ、第２移動コマ３８の位置の調整を広い範囲で自由に行うことができる。その後に上限停止位置を変更したい場合には、設定した位置までスクリーン生布１６を巻上げまたは巻下ろし、スイッチケース２４の一端をサイドプレート１２に支持する調整ネジ２５を回してスイッチケース２４の位置を巻取パイプ１０の長手方向に移動させて、上限用リミットスイッチ２６が第１移動コマ３６に接触するよう、上限用リミットスイッチ２６の位置を変更することで、上限停止位置を変更することができる。この上限停止位置を変更した場合、下限用リミットスイッチ２８の位置も一緒に変わってしまうため、再度上述の手順で下限停止位置の設定をし直す。
【００２３】
こうして、上限、下限両方の停止位置の調整を簡単に行うことができる。停止位置調整装置２０はユニット化できるのでその取付けが簡単であると共に、このリミットスイッチ２６、２８が巻取パイプ１０内に収容されるため、電動ロールスクリーン自体の大型化を招くことはない。
以上のようにして停止位置が設定された電動ロールスクリーンは、通常の作動時には、モータ３０の作動によって巻取パイプ１０をスクリーン生布１６巻下ろし方向に回転させると、スクリーン生布１６が巻下ろされて下降する。これに伴ってパイプ受け筒体２２が巻取パイプ１０と一体に回転するので、パイプ受け筒体２２に螺合され且つサイドプレート１２に対して相対回転不能に設定された第１移動コマ３６は、巻取パイプ１０の長手方向、図１中左方向へ移動する。第１移動コマ３６に伴って、摺動ネジ軸４６及びこれに螺合された第２移動コマ３８は一緒に移動する。第２移動コマ３８が下限用リミットスイッチ２８に接触すると該スイッチ２８が作動して、モータ３０の作動を停止させ、スクリーン生布１６を下限停止位置で停止させた状態となる。
【００２４】
一方、モータ３０の作動によって巻取パイプ１０をスクリーン生布１６巻上げ方向に回転させると、スクリーン生布１６が巻上げられて上昇する。これに伴ってパイプ受け筒体２２が巻取パイプ１０と一体に逆回転するので、パイプ受け筒体２２に螺合され且つサイドプレート１２に対して相対回転不能に設定された第１移動コマ３６は、巻取パイプ１０の長手方向、図１中右方向へ移動する。第１移動コマ３６に伴って、摺動ネジ軸４６及びこれに螺合された第２移動コマ３８は一緒に移動する。第１移動コマ３６が上限用リミットスイッチ２６に接触すると該スイッチ２６が作動して、モータ３０の作動を停止させ、スクリーン生布１６を上限停止位置で停止させた状態となる（図９）。
【００２５】
【発明の効果】
以上説明したように、請求項１に記載した発明によれば、上限停止用及び下限停止用の２個のスイッチ手段をスイッチケースに保持し、そのスイッチケースを巻取パイプの中に収容するため、その取付作業及び配線作業が簡単であると共に、電動ロールスクリーン全体の大型化を招くことなくスイッチ手段を収めることができる。
【００２６】
また、停止位置の調整は、それぞれのスイッチ手段と作用可能な第１移動体と第２移動体の間隔を調整することで、上限または下限のいずれかの停止位置の調整を行うことができる。
また、請求項２に記載した発明によれば、回転操作可能な操作部を回転させることにより、非円形軸が回転し、これに伴って摺動ネジ軸が回転するので、摺動ネジ軸に螺合された第２移動体が巻取パイプの長手方向に移動して、第２移動体と第１移動体との巻取パイプの長手方向の間隔を調整し、よって上限または下限のいずれかの停止位置の調整を行うことができる。操作部は３６０度以上回転させることができ、操作部の回転によって摺動ネジ軸を自由に回転させることができるため、第２移動体の位置の調整を広い範囲で自由に行うことができる。
【００２７】
また、請求項３記載の発明によれば、摺動ネジ軸が第１移動体と第２移動体との連結する役割をも兼ねるため、連結のための部品を別途必要とする事なく、部品点数を低減することができる。
また、請求項４記載の発明によれば、摺動ネジ軸が第１移動体のサイドプレートに対する回転止めの役割をも兼ねるため、回転止めのための部品を別途必要とする事なく、部品点数を低減することができる。
【００２８】
また、請求項５記載の発明によれば、第２調整手段によって、上限及び下限の両方の停止位置の調整ができる。
また、請求項６記載の発明によれば、スイッチケースが前記巻取パイプの長手方向に伸びて第１移動体及び第２移動体を貫通することで、これらの部品を干渉することなくコンパクトに巻取パイプ内に収容することができる。
【００２９】
また、請求項７記載の発明によれば、スイッチケースが第１移動体のサイドプレートに対する回転止めの役割をも兼ねるため、回転止めのための部品を別途必要とする事なく、部品点数を低減することができる。
また、請求項８記載の発明によれば、スイッチケースが第２移動体のサイドプレートに対する回転止めの役割をも兼ねるため、回転止めのための部品を別途必要とする事なく、部品点数を低減することができる。
【図面の簡単な説明】
【図１】図１は、本発明にかかる電動ロールスクリーンの停止位置調整装置の実施の形態を表す断面図であり、下限停止位置調整時においてスクリーン生布を下降させている状態を示す。
【図２】図１の２−２線に沿って見た断面図である。
【図３】図１の３−３線に沿って見た断面図である。
【図４】図１の４−４線に沿って見た断面図である。
【図５】図１の分解斜視図である。
【図６】スクリーン生布が上限停止位置にあり、第１移動コマを上限用リミットスイッチに接触させている状態を示す電動ロールスクリーンの正面図である。
【図７】スクリーン生布を下降停止位置まで下降させた状態を示す電動ロールスクリーンの正面図である。
【図８】ダイヤルを操作して、第２移動コマを移動させて下限用リミットスイッチに接触させた状態を示す電動ロールスクリーンの正面図である。
【図９】スクリーン生布が上限停止位置まで上昇した状態を示す電動ロールスクリーンの正面図である。
【符号の説明】
１０    巻取パイプ
１２    サイドプレート
１６    スクリーン生布
２０    停止位置調整装置
２２    パイプ受け筒体
２２ａ  ネジ部
２４    スイッチケース
２５    調整ネジ（第２調整手段）
２６    上限用リミットスイッチ（スイッチ手段）
２８    下限用リミットスイッチ（スイッチ手段）
３６    第１移動コマ（第１移動体）
３８    第２移動コマ（第２移動体）
４０    調整手段
４２    ダイヤル（操作部）
４４    角軸（非円形軸）
４６    摺動ネジ軸
【図１】
0003789560.tif 000002
【図２】
0003789560.tif 000003
【図３】
0003789560.tif 000004
【図４】
0003789560.tif 000005
【図５】
0003789560.tif 000006
【図６】
0003789560.tif 000007
【図７】
0003789560.tif 000008
【図８】
0003789560.tif 000009
【図９】
0003789560.tif 000010